(57)【要約】【課題】背面にカバー類が取り付かない背枠であっても、ゲート跡を手間無しで隠すことができるようにする。【解決手段】背枠１０は、サイドメンバー１３とアッパメンバー１４とロアメンバー１５とを有して前後に開口している。背枠１０には、メッシュ材を取り付けたループ構造のメッシュ保持枠１１が装着されている。背枠１０の成形に際してできたゲート跡３１ａは、アッパメンバー１４の凹所３１の底部に位置しており、ゲート跡３１ａは、メッシュ保持枠１１に形成された突起３２で覆われている。従って、ゲート跡３１ａは、見た目を考慮することなく簡単に処理できる。ゲートは左右横長であるため、樹脂は左右に正確に分かれて隅々まで行きわたる。【選択図】図３
2018075195.tif 000002
【特許請求の範囲】
【請求項１】
前後に開口した合成樹脂製の背枠と、前記背枠の前面に重なる部分を有するフロントサポートとを備えており、着座した人の体圧が前記フロントサポートで支えられる構成であって、
前記背枠を射出成形法にて製造した跡に残ったゲート跡を、前記フロントサポートで覆われた部位に配置している、
椅子の背もたれ。
【請求項２】
前記ゲート跡は、前記背枠に形成した凹所の底部に残るように設定している、
請求項１に記載した椅子の背もたれ。
【請求項３】
前記フロントサポートには、前記ゲート跡に当接しない状態で前記凹所に嵌まる突起が形成されており、前記突起が凹所に嵌まることにより、又は、前記突起を挟んで両側に形成した係合部が前記凹所を挟んだ両側に形成された係止部に嵌まることにより、前記フロントサポートの位置決めが行われている、
請求項２に記載した椅子の背もたれ。
【請求項４】
前記背枠は、上下長手の左右サイドメンバーと、前記サイドメンバーの上端に繋がった左右長手のアッパメンバーと、前記サイドメンバーの下端に繋がったロアメンバーとを有しており、前記アッパメンバーの左右中間部に、前記ゲート跡が左右横長の姿勢で残っている、
請求項１〜３のうちのいずれかに記載した椅子の背もたれ。
【請求項５】
前記アッパメンバーは前向きに開口した溝形になっており、前記アッパメンバーの下端縁に前記凹所を形成し、前記凹所の底部にゲート跡が残るように設定されている一方、
前記アッパメンバーには、前記凹所に左右ずれ不能に嵌まる下向きの突起を形成している、
請求項４に記載した椅子の背もたれ。
【請求項６】
前記フロントサポートは、前記背枠に手前から重ねて装着されるメッシュ保持枠と、このメッシュ保持枠に張ったメッシュ材とで構成されている、
請求項１〜５のうちのいずれかに記載した椅子の背もたれ。
【発明の詳細な説明】
【技術分野】
【０００１】
本願発明は、合成樹脂製のアウター部材を有する椅子の背もたれに関するものである。
【背景技術】
【０００２】
椅子の背もたれは様々な構造になっているが、例えばオフィス用椅子の場合、大まかには、クッションタイプとメッシュタイプとに大別される。クッションタイプは、樹脂製の背インナーシェル（背板）の前面にクッションを張って、背インナーシェルはその後ろに配置されたアウター部材に取り付けたものであり、この場合のアウター部材は、背もたれの背面の外観の略全体を構成するシェル形状になっていることが殆どである。
【０００３】
他方、メッシュタイプは、前後に開口した背枠（バックフレーム）にメッシュ材を張った構造であり、メッシュ材をアウター部材に張る方法としては、メッシュ材の周縁にテープ状で可撓性の縁部材を縫着して、この縁部材を、背枠の外周に形成した溝穴に差し込むことが多いが、本願出願人の出願に係る特許文献１には、背枠の前面に枠状のメッシュ保持枠を取り付けて、このメッシュ保持枠にメッシュ材を取り付けることが開示されている。
【０００４】
背もたれを構成する背枠は、合成樹脂を材料にした射出成形法で製造されていることが多い。この射出成形法は、金型に形成された空洞に溶融した合成樹脂をゲートから注入して固まらせるものであり、金型は、一般にキャビと呼ばれている固定型と、コアと呼ばれている可動型との対を基準にしており、ゲートは固定型に設けていることが多い。また、背枠が複雑な形状である場合は、固定型又は可動型若しくは両方にスライド型を装着している。
【０００５】
樹脂の成形品において、ゲートの位置は製品の品質に影響する重要な要素であり、樹脂の流れ等を考慮して位置が決定される。そして、前後に開口した背枠の場合は、上端部にゲートを位置させていることが多いが、ゲート内で固まった樹脂が背枠と一体に繋がっているため、型抜きして背枠を金型から取り出した後に、ゲート跡が突出した状態で残っている。
【０００６】
そして、ゲート跡が人目に触れる状態で残っていると、美観を悪化させるのみでなく、人が手で触れたときに怪我をするおそれがある。そこで従来は、人手を掛けてゲート跡を除去しているが、見た目良く処理する必要があるため手間がかかっており、さらに手作業であるため加工精度にバラつきが伴うことも否めないものであった。
【０００７】
そこで、本願出願人は、特許文献１において、ゲート跡を、ハンガー等の付属品の取り付け部に配置して、付属品を使用しているときにはゲート跡を付属品で隠して、付属品を使用していな状態では、取り付け部を覆うカバーでゲート跡を隠すように設定して、これにより、ゲート跡の処理の手間を削減する技術を開示した。
【先行技術文献】
【特許文献】
【０００８】
【特許文献１】特開２０１６−１４０５０６号公報
【発明の概要】
【発明が解決しようとする課題】
【０００９】
【特許文献１】１は、ハンガーのような付属品の取り付け部にゲート跡を設けるものであり、付属品を設けない場合は、取り付け部はカバーで覆われるので、ゲート跡は常に隠れていて外部に露出することはない。従って、ゲート跡を除去して綺麗に仕上げる必要はなくて、ゲート跡の処理に要する手間を大幅に削減できる。
【００１０】
但し、背枠に付属品の取り付け部を設けていない場合は、特許文献１は適用対象外になる。例えば、アッパメンバーを上下からクランプ材で挟むことによってハンガー等の付属品（オプション品）を取り付ける場合は、付属品を使用しないときのカバーは不要であるため、ゲート跡を露出しない状態に保持することはできない。
【００１１】
本願発明は、このような現状を改善すべく成されたものである。
【課題を解決するための手段】
【００１２】
本願発明は、各請求項で特定されている。このうち請求項１の発明は、前後に開口した合成樹脂製の背枠と、前記背枠の前面に重なる部分を有するフロントサポートとを備えており、着座した人の体圧が前記フロントサポートで支えられる構成であって、前記背枠を射出成形法にて製造した跡に残ったゲート跡を、前記フロントサポートで覆われた部位に配置している。
【００１３】
請求項２の発明は、請求項１において、前記ゲート跡は、前記背枠に形成した凹所の底部に残るように設定している。請求項２の好適な展開例として、請求項３では、前記フロントサポートには、前記ゲート跡に当接しない状態で前記凹所に嵌まる突起が形成されており、前記突起が凹所に嵌まることにより、又は、前記突起を挟んで両側に形成した係合部が前記凹所を挟んだ両側に形成された係止部に嵌まることにより、前記フロントサポートの位置決めが行われている。
【００１４】
請求項４の発明は、請求項１〜３のうちのいずれかにおいて、前記背枠は、上下長手の左右サイドメンバーと、前記サイドメンバーの上端に繋がった左右長手のアッパメンバーと、前記サイドメンバーの下端に繋がったロアメンバーとを有しており、前記アッパメンバーの左右中間部に、前記ゲート跡が左右横長の姿勢で残っている。
【００１５】
請求項４の好適な展開例として、請求項５では、前記アッパメンバーは前向きに開口した溝形になっており、前記アッパメンバーの下端縁に前記凹所を形成し、前記凹所の底部にゲート跡が残るように設定されている一方、前記アッパメンバーには、前記凹所に左右ずれ不能に嵌まる下向きの突起を形成している。
【００１６】
フロントサポートは様々な構造を採用できるが、請求項６では、前記フロントサポートは、前記背枠に手前から重ねて装着されるメッシュ保持枠と、このメッシュ保持枠に張ったメッシュ材とで構成されている。
【発明の効果】
【００１７】
本願発明では、ゲート跡は手前に突出していてこれをフロントサポートで隠すことができるため、背枠の背面が平滑面になっている場合であっても、ゲート跡を除去する作業を不要にできるか、又は、除去作業を簡素化できる。従って、背枠の製造に要する手間を軽減できる。また、専用のカバーを設けるものではなく、背もたれの構成部材としてのフロントサポートをゲート跡のカバーとして利用するものであるため、構造が複雑化することはなく、コストアップを防止できる。
【００１８】
請求項２のようにゲート跡が凹所の底部に残るように設定すると、ゲート跡が背枠の表面から突出することを防止して、フロントサポートを背枠に重ねた状態で的確に隠すことができる。また、フロントサポートを取り付ける前に人の指先がゲート跡に触れることを防止できるため、安全性も確保できる。
【００１９】
請求項３の構成を採用すると、ゲート跡を隠す突起又はその近傍に設けた係合部を利用してフロントサポートの位置決めを行うことができる。従って、それだけ構造を簡単化することができる。なお、凹所はフロントサポートの位置決めだけでなく、ハンガーやヘッドレスト等のオプション品を取り付ける場合の位置決めとすることも可能である。
【００２０】
背枠は左右対称形状であるのが普通であるので、請求項４のようにアッパメンバーの左右中間部の箇所にゲートを位置させると、射出成形するにおいて、溶融樹脂の流れを均等化することができる。このため、背枠を高い精度で成形することができる。また、請求項４のようにゲート跡が左右横長の姿勢になっていることは、金型のゲートが左右横長形状であることを意味するが、このようなゲートが左右横長であると、溶融樹脂を左右に分流させて隅々まで行きわたらせる機能が強化されるため、樹脂を金型のキョビティに速やかに充満させて、高い精度で成形することができる。
【００２１】
また、請求項５のようにアッパメンバーを溝型に形成すると、アッパメンバーは曲げに対する断面係数が高くなるため、樹脂の使用量を抑制しつつ必要な強度を確保できる。そして、アッパメンバーの溝内にゲート跡を配置すると、フロント部材をアッパメンバーの溝に嵌め込みつつ、フロント部材でゲート跡を覆うことができる。従って、フロントサポートの周囲部をガタ付きのない状態で背枠に嵌め込みつつ、ゲート跡を確実に隠すことができる。
【００２２】
また、アッパメンバーの下端縁に凹所を形成してこの凹所の底部にゲート跡を配置しているが、アッパメンバーの下端縁は人目に触れないため、ゲート跡は下方に露出しているため、ゲート跡が長く残っている場合に、工具で千切る処理を簡単に行える。また、ゲート跡は凹所の底部に位置しているため、長く残っているゲート跡をペンチ等で千切って短くするに際して、千切りによる傷が左右に広がることはなくて、ゲート跡のみを処理できる。従って、ゲート跡の処理を容易に行える。
【００２３】
凹所はアッパメンバーの突起で隠れているため、美観に優れている。また、ゲート跡を残す凹所を利用してアッパメンバーの位置決めが行われるため、位置決め手段を無くしたり減らしたりすることができ、それだけ構造を簡単化できる。
【００２４】
フロントサポートは様々なタイプを採用できるが、請求項６のようにメッシュ保持枠とメッシュ材とからなるものを使用すると、背もたれを通気性に優れたものとすることができる。
【図面の簡単な説明】
【００２５】
【図１】実施形態を示す図で、（Ａ）は椅子を前方から見た斜視図、（Ｂ）は椅子を後ろから見た斜視図、（Ｃ）は背面図である。
【図２】（Ａ）は分離斜視図、（Ｂ）はハンガーを取り付けた状態での前からの斜視図、（Ｃ）はハンガーを取り付けた状態での後ろからの斜視図である。
【図３】（Ａ）は背枠とメッシュ保持枠との分離斜視図、（Ｂ）は図２（Ａ）のIIIB-IIIB 視断面図である。
【図４】（Ａ）はメッシュ材を装着した背枠の上部の正面図、（Ｂ）は背枠とメッシュ保持枠との分離正面図である。
【図５】背枠とメッシュ保持枠との分離斜視図である。
【図６】（Ａ）は背枠とハンガー用ブラケットとの分離斜視図、（Ｂ）はハンガー用ブラケットを取り付けた状態での部分的な要部平面図、（Ｃ）は背枠とアッパメンバーとの分離平面図である（（Ａ）では、アッパメンバーは寝かせ姿勢にしている。）。
【図７】（Ａ）は図４（Ａ）のVIIA-VIIA 視断面図、（Ｂ）は図４（Ａ）のVIIB-VIIB 視断面図である。
【図８】（Ａ）は成形状態の断面図、（Ｂ）は金型の大まかな側面図である。
【発明を実施するための形態】
【００２６】
(1).椅子の概要
次に、本願発明の実施形態を図面に基づいて説明する。まず、椅子の概要を説明する。本実施形態は、オフィスで多用されているロッキング式回転椅子に適用している。図１，２のとおり、椅子は、座１と背もたれ２、及び脚装置３を備えている。脚装置３は、脚支柱４と放射方向に延びる複数本の枝杆５とを有しており、各枝杆５の先端にはキャスター６を設けている。
【００２７】
図２（Ａ）に示すように、座１は、座板（座インナーシェル）７に座クッション８を張った構造である。座板７は座アウターシェル９に支持されていて、座アウターシェル９は、脚支柱４の上端に設けたベース部材（図示せず）に取り付けられている。
【００２８】
背もたれ２はメッシュタイプであり、前後に開口した背枠１０と、この背枠１０の前面に装着したループ構造のメッシュ保持枠１１とを有しており、メッシュ保持枠１１に、織地や編地からなるメッシュ材１２が張られている。本実施形態では、メッシュ保持枠１１とメッシュ材１２とでフロントサポートが構成されている。図３（Ａ）や図４（Ｂ）に明示するように、メッシュ保持枠１１は、上下に分離した第１部分１１ａと第２部分１１ｂとで構成されており、第２部分１１ｂは、第１部分１１ａの下端部に前後回動自在に連結されている。
【００２９】
背枠１０は樹脂の成形品であり、図３（Ａ）に示すように、上下長手の左右サイドメンバー１３と、左右サイドメンバー１３の上端に繋がった左右横長のアッパメンバー１４と、左右サイドメンバー１３の下端に繋がった左右横長のロアメンバー１５とを有している。ロアメンバー１５の上下幅はサイドメンバー１３やアッパメンバー１４の幅よりも大きくなっており、更に、ロアメンバー１５の左右両側部からアーム部１６が前向きに突出している。
【００３０】
左右のアーム部１６は、既述のベース部材に左右横長のピンで連結されている。この場合、ピンが嵌まる穴を前後に長い長穴とすることにより、背もたれ２の後傾動によってピンが前進するように設定されており、座１は、背もたれ２の後傾動に連動して前進するように設定されている。ロアメンバー１５とアーム部１６とには、補強ためのリブや他の部材を固定したり連結したりするためのリブなどが多数形成されており、複雑な形状になっている。
【００３１】
図２（Ｂ）（Ｃ）に示すように、アッパメンバー１４にはハンガー１７を取り付けることができる。すなわち、上クランプ１８と下クランプ１９とでアッパメンバー１４を上下から挟持し、上下クランプ１８，１９に対して、Ｔ型のハンガー１７が高さ調節可能に取り付けられている。ハンガー１７は（付属品）オプション品の一例であるが、ヘッドレストなどの他のオプション品も取り付け可能である。
【００３２】
(2).背枠とメッシュ保持枠の構造
図３（Ｂ）及び図７（Ａ）に明示するように、背枠１０のサイドメンバー１３とアッパメンバー１４とは、それぞれ前向きに開口した略Ｖ型の断面形状であり、溝の内部に設けた係合部を利用して、メッシュ保持枠１１の第１部分１１ａが取り付けられている。
【００３３】
すなわち、図４から容易に理解できるように、背枠１０の溝内に門型の雌型係合部２１を上下に複数個形成している一方、メッシュ保持枠１１における第１部分１１ａの縦長部分には、雌型係合部２１に上から嵌まり込む鉤型の雄型係合部２２を設けており、これら係合部２１，２２により、第１部分１１ａはサイドメンバー１３に対して前向き離脱不能に保持されている。
【００３４】
また、サイドメンバー１３の溝内には、左右のリブから成る雌型位置決め部２４を形成している一方、メッシュ保持枠１１の第１部分１１ａには、雌型位置決め部２４に嵌まる板状の雄型位置決め部２５を形成しており、これらの位置決め部２４，２５により、第１部分１１ａを左右ずれ不能に保持している。図３（Ｂ）のとおり、メッシュ保持枠１１の第１部分は、背枠１０のサイドメンバー１３の内部（溝内）に入り込んでいる。
【００３５】
図７（Ａ）に示すように、メッシュ保持枠１１における第１部分１１ａの上部は、アッパメンバー１４の溝内に入り込んでいるが、第１部分１１ａの入り込み深さを規定するため、アッパメンバー１４の内部には、溝を仕切るような側面視三角形状のリブ２６が左右方向に並んで複数個形成されている。このリブ２６は、アッパメンバー１４の補強の役割も果たしている。左右中間部に位置した左右リブ２６は、センターリブ２７で繋がっている。
【００３６】
メッシュ保持枠１１の第２部分１１ｂは、ロアメンバー１５にビス（図示せず）で固定されている。また、図５に示すように、第２部分１１ｂには位置決めの突起２８を設けている。なお、メッシュ保持枠１１の取り付けは、第２部分１１ｂは手前に回動させた状態にして、まず、第１部分１１ａを背枠１０に取り付け、次いで、第２部分１１ｂを回動させてロアメンバー１５に重ね合わせる、という手順で行われる。
【００３７】
図３（Ｂ）や図７に示すように、メッシュ材１２の縁部にはテープ状の縁部材２９が逢着等で固定されている。縁部材２９には多数の穴（図示せず）が空いており、この穴が、メッシュ保持枠１１に設けたボス３０（図５参照）に嵌め込まれている。
【００３８】
例えば図５や図６に示すように、アッパメンバー１４の左右中間部の下端縁に、若干の深さで斜め前向き（下向き及び前向き）に開口した凹所（切り開き部）３１を形成しており、凹所３１の底面に成形後のゲート跡３１ａが残るように設定している。ゲート跡３１ａは凹所３１の左右幅一杯には広がっておらず、ゲート跡３１ａと凹所３１の左右内側面との間に若干の間隔で空いている。
【００３９】
凹所３１は２段階の深さになっており、浅い部分に左右一対の前向きリブ３１ｂを設けることにより、凹所３１の左右両側部に補助溝３１ｃを形成している。また、例えば図７に明示するように、左右補助溝３１ｃのやや左右外側に、請求項に記載した係合部の例として、後ろ側に落ちた段落ち部３１ｄを形成している。
【００４０】
他方、メッシュ保持枠１１における第１部分１１ａの上部には、凹所３１に嵌まる下向きの突起３２を設けている。突起３２は舌状に形成されており、左右の前向きリブ３１ｂの間において、凹所３１の開口縁の箇所に配置されている。突起３２の左右両側には、請求項に記載した係止部の例として、背枠１０の段落ち部３１ｄと嵌合する凹部３１ａが形成されている。
【００４１】
従って、突起３２を凹所３１に嵌め入れた状態で、突起３２の後ろには空間が空いており、この空間の存在により、ゲート跡３１ａがある程度突出していても十分に隠すことができる。従って、ゲート跡３１ａは大まかに千切ったらよく、凹所３１の底面と同一を成すように処理する必要はない。また、凹部３２ａが段落ち部３１ｄに左右ずれ不能に嵌まることにより、メッシュ保持枠１１の第１部分１１ａは背枠１０に左右ずれ不能に保持される。これにより、メッシュ保持枠１１の第１部分１１ａは左右動不能に位置決めされている。なお、突起３２を凹所３１に左右ずれ不能に嵌め込むことも可能である。
【００４２】
また、図６（Ａ）（Ｂ）に明示するように、ハンガー１７を取り付ける下クランプ１９の前縁部１９ａには、凹所３１の補助溝３１ｃに下方から嵌まる後ろ向きリブ１９ｂを形成している。従って、下クランプ１９も、凹所３１を利用して左右ずれ不能に保持されている。下クランプ１９を取り付けた状態で、突起３２は、下クランプ１９における前縁部１９ａの後ろに位置している。従って、メッシュ保持枠１１ａを背枠１０に取り付けた状態で、下クランプ１９を下方から背枠１４に嵌め込むことができる。このような態様は、本実施形態の特徴の一つである。
【００４３】
図８（Ｂ）に示すように、背枠１０は、これに背面から重なる形態の固定型（キャビ）３３と、背枠１０に前から重なる可動型（コア）３４とを中核とする金型装置を使用して、射出成形法で製造される。そして、ゲート３５はコア３４に設けており、アッパメンバー１４の左右中間部に対応した位置に配置している。ゲート跡２７の形状から理解できるように、ゲート３５は断面が長方形の細い溝になっており、コア３４の移動方向に長い姿勢になっている。
【００４４】
そして、ゲート３５は左右方向に長い帯状の断面形状であるため、溶融した樹脂は固定型３３に当たってから左右方向に正確に分かれて流れて行き、キャビティの隅々まで均等に行きわたる。従って、複雑な形状の背枠１０でありながら、高い精度で製造できる。
【００４５】
また、ゲート３５は、アッパメンバー１４を形成するための空洞部のうち下端部に位置している。従って、溶融した樹脂は、矢印で示すように、固定型３３に案内されて主に上向きに流れつつ、左右に分かれていく。そして、ゲート跡２７はアッパメンバー１４の下端縁に位置するため、工具で叩いて折損したり、ペンチで挟んでねじ切ったりして除去するにおいて、広い空間で除去作業を行うことができるため、除去作業が容易である。
【００４６】
樹脂が固まってからコア３４を後退させると、背枠１０もコア３４と一緒に途中まで後退し、背枠１０が固定型３３から完全に離れると、コア３４が後退しつつ突き出しピンがコア３４から相対的に突出することにより、背枠１０がコア３４から離反し、これに伴って、ゲート３５の内部に固まっていた樹脂板が千切れる。
【００４７】
そして、ゲート３５で固まった樹脂板の一部がゲート跡２７として背枠１０に残るが、樹脂板の千切れ具合はショットごとにまちまちであり、ゲート跡２７が大きく突出する場合もある。その場合は、メッシュ保持枠１１の第１部分１１ａの取り付けの障害にならないように切除せねばならないが、ゲート跡２７がメッシュ保持枠１１で隠れていて人目に触れることはないので、例えばハンマーで叩いて除去したり、ペンチでねじ切ったり、ニッパーでカットしたりして、見た目に考慮することなく除去処理したらよい。従って、ゲート跡２７の処理はごく簡単である。
【００４８】
上記の実施形態は、フロントサポートとして、メッシュ保持枠１１にメッシュ材１２が張られたものを使用したが、フロントサポートは、背枠１０の開口を全体的に塞ぐ合成樹脂製等の背板であってもよい。このように背板を使用する場合は、前面にクッションを張ることも可能である。背板には、変形を容易にした通気性を高めたりするためのスリットの群や穴の群を形成することも可能である。背板は、網状構造に形成することも可能である。
【００４９】
フロントサポートとしては、背枠１０に重なるループ構造の枠部に、多段に配置された左右横長の帯板群を一体に設けたものも使用できる。フロントサポートとしてメッシュタイプを使用する場合、メッシュ保持枠は上部分離方式である必要はなく、全体が単一構造であってもよい。逆に、３つ以上の部材で構成されていてもよい。
【００５０】
背枠は、アーム部を備えている必要はない。ロアメンバーを別部材で構成することも可能である。適用対象たる椅子は回転椅子には限らず、固定式の椅子やベンチタイプの多連式椅子などにも適用できる。また、本願発明は、特許文献１のようにアッパメンバーに付属品の取り付け部を有する背枠にも適用できる。
【産業上の利用可能性】
【００５１】
本願発明は、椅子に具体化できる。従って、産業上利用できる。
【符号の説明】
【００５２】
２  背もたれ
１０  背枠
１１  フロントサポートを構成するメッシュ保持枠
１１ａ  メッシュ保持枠の第１部分
１１ｂ  メッシュ保持枠の第２部分
１２  フロントサポートを構成するメッシュ材（布帛）
１３  サイドメンバー
１４  アッパメンバー
１５  ロアメンバー
１６  アーム部
１７  オプション品の一例のハンガー
２７  ゲート跡
３１  凹所
３１ａ  ゲート跡
３１ｂ  前向きリブ
３１ｃ  補助溝
３２  突起
３３  固定型
３４  可動型
３５  ゲート
【図１】
2018075195.tif 000003
【図２】
2018075195.tif 000004
【図３】
2018075195.tif 000005
【図４】
2018075195.tif 000006
【図５】
2018075195.tif 000007
【図６】
2018075195.tif 000008
【図７】
2018075195.tif 000009
【図８】
2018075195.tif 000010